(57)【要約】      （修正有）【課題】開先溶接におけるＴ継手や突合せ継手の開先角度の合否判定測定を正確かつ迅速に行える上、すみ肉溶接におけるすみ肉ののど厚及び脚長の合否判定測定をも正確かつ迅速に行える角度限界ゲージを提供する。【解決手段】ゲージ体Ｂ等の一端部２と他端部３は、開先溶接のＴ継手や突合せ継手の開先角度の測定時に基準となる所定角度に形成されている。ゲージ体Ｂ等の頂部１は、すみ肉溶接のすみ肉ｓののど厚ｄの測定時に基準となる所定のど厚ｄ、及び所定脚長ｋを確保して切り欠かれて形成されている。開先所定角度やのど厚ｄ、所定脚長ｋを表す数字５と記号６、矢印７、８、９、引出し線１０が、ゲージ体Ｂ等の表面１１と裏面１２の各一端部２と他端部３、頂部１に表示されている。【選択図】 図６
0003147375.tif 000002
【実用新案登録請求の範囲】
【請求項１】
頂部及び一端部と他端部で形成された平板状のゲージ体より成る角度限界ゲージであって、
前記ゲージ体の一端部と他端部は、開先溶接におけるＴ継手又は突合せ継手の開先角度を測定する際に基準となる所定の角度にそれぞれ形成されていると共に、当該ゲージ体の頂部は、すみ肉溶接におけるすみ肉ののど厚を測定する際に基準となる所定ののど厚、及びすみ肉の脚長を測定する際に基準となる所定の脚長を確保して、前記所定ののど厚及び脚長の長さ相当分の範囲が切り欠かれて形成されていることを特徴とする角度限界ゲージ。
【請求項２】
Ｔ継手又は突合せ継手の開先角度を測定する際に基準となる所定の角度を表す数字と記号が、ゲージ体の一端部と他端部の各表面に表示されていることを特徴とする、請求項１に記載した角度限界ゲージ。
【請求項３】
Ｔ継手又は突合せ継手の開先角度を測定する際に基準となる所定の角度の範囲を表す矢印が、ゲージ体の一端部と他端部の各表面に表示されていることを特徴とする、請求項２に記載した角度限界ゲージ。
【請求項４】
Ｔ継手又は突合せ継手の開先角度を測定する際に基準となる所定の角度を表す数字と記号、矢印が、ゲージ体の一端部と他端部の各裏面に表示されていることを特徴とする、請求項１〜３のいずれか１項に記載した角度限界ゲージ。
【請求項５】
ゲージ体は、基本形状が直角三角形から部分的に切除されたく字状又は台形状に形成され、その直角部に形成される頂部は、すみ肉溶接におけるすみ肉ののど厚を測定する際に基準となる所定ののど厚、及びすみ肉の脚長を測定する際に基準となる所定の脚長を確保して、前記所定ののど厚及び脚長の長さ相当分の範囲が切り欠かれて成り、前記のど厚を表す数字と記号が、前記頂部の表面に表示されていると共に、前記脚長を表す数字と記号が、当該頂部の裏面に表示されていることを特徴とする、請求項１〜４のいずれか１項に記載した角度限界ゲージ。
【請求項６】
すみ肉溶接における所定ののど厚を示す矢印が、ゲージ体の頂部の表面に表示されていると共に、所定の脚長の範囲を示す矢印と引出し線が、当該頂部の裏面に表示されていることを特徴とする、請求項５に記載した角度限界ゲージ。
【請求項７】
複数枚のゲージ体が備えられ、各ゲージ体の左右の両端部は、開先溶接における開先角度の限界寸法値として各々異なる角度に形成されていると共に、各ゲージ体の頂部は、すみ肉溶接におけるのど厚及び脚長の限界寸法値として各々異なるのど厚及び脚長を確保して形成されていることを特徴とする、請求項１〜６のいずれか１項に記載した角度限界ゲージ。
【請求項８】
複数枚のゲージ体で各々形成される限界寸法値の角度、のど厚及び脚長は、使用頻度の高い寸法の組み合せで構成されていることを特徴とする、請求項１〜７のいずれか１項に記載した角度限界ゲージ。
【考案の詳細な説明】
【技術分野】
【０００１】
本考案は角度限界ゲージに関し、さらに言えば、開先溶接におけるＴ継手又は突合せ継手の開先角度の合否判定測定を正確かつ迅速に行うと共に、すみ肉溶接におけるすみ肉ののど厚及び脚長の合否判定測定をも正確かつ迅速に行う角度限界ゲージの技術分野に属する。
【背景技術】
【０００２】
従来、開先溶接におけるＴ継手又は突合せ継手の開先角度の合否判定測定に際しては、分度器を使用して、異なる開先角度の測定の都度、当該開先角度の測定を行っていた。
【０００３】
また、実開昭５８−１７８６０９号公報には、突合せ溶接の開先角度を測定する技術として、一端縁を基準線とする扇状板材よりなる本体と、同本体の扇中心近傍で軸支され上記基準線と反対の側の側縁を測定線とする測定板と、上記本体上に刻設され上記基準線と測定線との傾きを表示する角度目盛とからなる角度測定器が記載されている（請求項１）。
【特許文献１】実開昭５８−１７８６０９号公報
【考案の開示】
【考案が解決しようとする課題】
【０００４】
前記文献１記載の開先角度を測定するゲージでは、突合せ継手にセットされる本体と測定板を固定しながら、いちいち測定板が指し示す開先角度を読み取らなければならず、分度器を使う場合と同様に面倒で煩わしい。
【０００５】
また、測定板が指し示す開先角度に誤差が生じることも否めない上、３０°以下の小さい開先角度の測定には適応困難である。
【０００６】
さらに当然のことながら、前記従来のゲージでは、すみ肉溶接におけるすみ肉ののど厚及び脚長の合否判定測定には使用できない。
【０００７】
したがって、本考案が解決しようとする課題は、開先溶接におけるＴ継手や突合せ継手の開先角度の合否判定測定を正確かつ迅速に行える上、すみ肉溶接におけるすみ肉ののど厚及び脚長の合否判定測定をも正確かつ迅速に行える作業効率が高められて便利な角度限界ゲージを提供することにある。
【課題を解決するための手段】
【０００８】
上記課題を解決するための手段として、請求項１記載の考案の角度限界ゲージは、頂部１及び一端部２と他端部３で形成された平板状のゲージ体Ａ、Ｂより成る角度限界ゲージであって、
前記ゲージ体Ａ、Ｂの一端部２と他端部３は、開先溶接におけるＴ継手又は突合せ継手の開先角度θを測定する際に基準となる所定の角度θにそれぞれ形成されていると共に、当該ゲージ体Ａ、Ｂの頂部１は、すみ肉溶接におけるすみ肉ｓののど厚ｄを測定する際に基準となる所定ののど厚ｄ、及びすみ肉ｓの脚長ｋを測定する際に基準となる所定の脚長ｋを確保して、前記所定ののど厚ｄ及び脚長ｋの長さ相当分の範囲ｆが切り欠かれて形成されていることを特徴とする。
【０００９】
請求項２記載の考案の角度限界ゲージは、前記Ｔ継手又は突合せ継手の開先角度θを測定する際に基準となる所定の角度θを表す数字５と記号６が、ゲージ体Ａ、Ｂの一端部２と他端部３の各表面１１に表示されていることを特徴とする。
【００１０】
請求項３記載の考案の角度限界ゲージは、前記Ｔ継手又は突合せ継手の開先角度θを測定する際に基準となる所定の角度の範囲θを表す矢印７が、ゲージ体Ａ、Ｂの一端部２と他端部３の各表面１１に表示されていることを特徴とする。
【００１１】
請求項４記載の考案の角度限界ゲージは、前記Ｔ継手又は突合せ継手の開先角度θを測定する際に基準となる所定の角度の範囲θを表す数字５と記号６、矢印７が、ゲージ体Ａ、Ｂの一端部２と他端部３の各裏面１２に表示されていることを特徴とする。
【００１２】
請求項５記載の考案の角度限界ゲージは、前記ゲージ体Ａ、Ｂは、基本形状が直角三角形から部分的に切除されたく字状又は台形状に形成され、その直角部ｐに形成される頂部１は、すみ肉溶接におけるすみ肉ｓののど厚ｄを測定する際に基準となる所定ののど厚ｄ、及びすみ肉ｓの脚長ｋを測定する際に基準となる所定の脚長ｋを確保して、前記所定ののど厚ｄ及び脚長ｋの長さ相当分の範囲ｆが切り欠かれて成り、前記のど厚ｄを表す数字５と記号６が、前記頂部１の表面１１に表示されていると共に、前記脚長ｋを表す数字５と記号６が、当該頂部１の裏面１２に表示されていることを特徴とする。
【００１３】
請求項６記載の考案の角度限界ゲージは、前記すみ肉溶接における所定ののど厚ｄを示す矢印８が、ゲージ体Ａ、Ｂの頂部１の表面１１に表示されていると共に、所定の脚長ｋの範囲を示す矢印９と引出し線１０が、当該頂部１の裏面１２に表示されていることを特徴とする。
【００１４】
請求項７記載の考案の角度限界ゲージは、複数枚の前記ゲージ体Ａ・・・、Ｂ・・・が備えられ、各ゲージ体Ａ・・・、Ｂ・・・の左右の両端部２、３は、開先溶接における開先角度θの限界寸法値として各々異なる角度θ・・・に形成されていると共に、各ゲージ体Ａ・・・、Ｂ・・・の頂部１は、すみ肉溶接におけるのど厚ｄ及び脚長ｋの限界寸法値として各々異なるのど厚ｄ・・・及び脚長ｋ・・・を確保して形成されていることを特徴とする。
【００１５】
請求項８記載の考案の角度限界ゲージは、複数枚の前記ゲージ体Ａ・・・、Ｂ・・・で各々形成される限界寸法値の角度θ、のど厚ｄ及び脚長ｋは、使用頻度の高い寸法の組み合せで構成されていることを特徴とする。
【考案の効果】
【００１６】
請求項１記載の角度限界ゲージは、ゲージ体の一端部と他端部は、開先溶接のＴ継手や突合せ継手の開先角度を測定する際に基準となる所定角度に形成されていると共に、頂部は、すみ肉溶接のすみ肉ののど厚を測定する際に基準となる所定ののど厚、及びすみ肉の脚長を測定する際に基準となる所定の脚長を確保して、前記のど厚及び脚長の長さ相当分の範囲が切り欠かれて形成されているので、開先溶接におけるＴ継手や突合せ継手の開先角度の合否判定測定を正確かつ迅速に行えるだけでなく、すみ肉溶接におけるすみ肉ののど厚及び脚長の合否判定測定をも正確かつ迅速に行えて利便性がよく、作業効率の向上に寄与する。
【００１７】
請求項２、３記載の角度限界ゲージは、Ｔ継手や突合せ継手の開先角度を測定する際に基準となる所定角度を表す数字と記号や矢印が、ゲージ体の一端部と他端部の各表面に表示されているので、開先角度の合否判定が目視により一目瞭然で簡単に行うことができる。
【００１８】
請求項４記載の角度限界ゲージは、Ｔ継手や突合せ継手の開先角度を測定する際に基準となる所定の角度を表す数字と記号、矢印が、ゲージ体の一端部と他端部の各裏面にも表示されているので、開先角度の合否判定に際して目視により一目瞭然で簡単に行える上、当該ゲージ体の表裏を気にすることなく扱え、使い勝手に優れる。
【００１９】
請求項５記載の角度限界ゲージは、ゲージ体の基本形状が直角三角形から部分的に切除されたく字状又は台形状に形成され、その直角部に形成される頂部は、すみ肉溶接のすみ肉ののど厚を測定する際に基準となる所定ののど厚、及びすみ肉の脚長を測定する際に基準となる所定の脚長を確保して、前記のど厚及び脚長の長さ相当分の範囲が切り欠かれて成り、前記のど厚を表す数字と記号が、前記頂部の表面に表示されていると共に、前記脚長を表す数字と記号が、当該頂部の裏面に表示されているので、当該ゲージ体の表面の頂部を使用して、すみ肉溶接におけるすみ肉ののど厚の合否判定を目視により一目瞭然で簡単かつ正確に行うことができる。
【００２０】
しかも、当該ゲージ体の裏面の頂部を使用して、すみ肉溶接におけるすみ肉の脚長の合否判定を、同様に目視により一目瞭然で簡単に行うことができる利便性に優れている。
【００２１】
請求項６記載の角度限界ゲージは、すみ肉溶接における所定ののど厚を示す矢印が、ゲージ体の頂部の表面に表示されていると共に、所定の脚長の範囲を示す矢印と引出し線が、当該頂部の裏面に表示されているので、すみ肉溶接におけるすみ肉ののど厚と脚長の合否判定を、より一層明確に行うことができる。
【００２２】
請求項７記載の角度限界ゲージは、複数枚のゲージ体が備えられ、各ゲージ体の左右の両端部は、開先角度の限界寸法値として各々異なる角度に形成されていると共に、各ゲージ体の頂部は、すみ肉溶接ののど厚及び脚長の限界寸法値として各々異なるのど厚及び脚長を確保して形成され、前記数種類の限界寸法値のゲージ体が予め用意されているので、開先角度やすみ肉ののど厚及び脚長の合否判定を容易かつ正確に行える利便性もある。
【００２３】
しかも、請求項８記載の本考案の角度限界ゲージのように、複数枚のゲージ体で各々形成される限界寸法値の角度、のど厚及び脚長は、使用頻度の高い寸法の組み合せで構成されているので、作業現場では使用頻度の高い数種類のゲージ体から合否判定に該当するものを即座に選択して測定することができる。
【考案を実施するための最良の形態】
【００２４】
請求項１〜８に係る角度限界ゲージの好適な実施形態を、以下図面にしたがって述べる。
【００２５】
本実施形態の角度限界ゲージは、大別すると２種類ある。図１に示したゲージ体Ａよりなる角度限界ゲージと、図２に示したゲージ体Ｂよりなる角度限界ゲージである。いずれの態様のゲージも、開先溶接とすみ肉溶接の両方に利用することができる。すなわち、開先溶接では、Ｔ継手又は突合せ継手の開先角度の合否判定の測定を行う。また、すみ肉溶接では、すみ肉ののど厚及び脚長の合否判定の測定を行う。さらに、これら溶接の合否判定に際し、当該角度限界ゲージは、その表面１１だけでなく、裏面１２をも好適に使用されるものである。
【００２６】
図１のゲージ体Ａと図２のゲージ体Ｂの角度限界ゲージは、共通する点が多いので、まず共通する基本構成につき一括して説明する。
【００２７】
ゲージ体Ａ、Ｂは、それぞれ頂部１及び一端部２と他端部３で形成された平板状のステンレス製で構成されている。その厚さは１．５ｍｍ、幅寸は９２ｍｍ、奥行は４３〜４６ｍｍである。
【００２８】
当該ゲージ体Ａ、Ｂの一端部２と他端部３は、図４に示したような開先溶接のＴ継手の開先角度θ、又は図５に示したような開先溶接の突合せ継手の開先角度θを測定する際に基準となる所定の角度θにそれぞれ形成され、各先端は切除されている。採用される前記の開先角度θについては、後に詳述する。
【００２９】
また、当該ゲージ体Ａ、Ｂの頂部１は、図６に示したようなすみ肉溶接におけるすみ肉ｓののど厚ｄ（図６Ａ参照）を測定する際に基準となる所定ののど厚ｄ、及びすみ肉ｓの脚長ｋ（図６Ｂ参照）を測定する際に基準となる所定の脚長ｋを確保して、前記のど厚ｄ及び脚長ｋの長さ相当分の範囲ｆが切り欠かれて形成されている（図３）。具体的には次のとおりである。
【００３０】
すなわち、ゲージ体Ａは、基本形状が直角三角形から部分的に切除された、く字状に形成されている。また、ゲージ体Ｂは、図３に示したように、基本形状が直角三角形から部分的に切除された台形状に形成されている。かくして、ゲージ体Ａ、Ｂの前記一端部２と他端部３の各斜辺は直交配置に形成されており、開先継手（Ｔ継手）やすみ肉溶接における合否判定を簡便かつ正確に行うことができる。
【００３１】
ゲージ体Ｂにつき説明すると、その直角部ｐに形成される頂部１は、図６の左半分に図示した如く、垂直な板材２０、２１のすみ肉ｓの符合ｄで示したのど厚を測定する際に基準となる所定ののど厚ｄ、及び図６の右半分に図示した如く、垂直な板材２０、２１のすみ肉ｓの符合ｋで示した脚長を測定する際に基準となる所定の脚長ｋを確保して、図３に示した如く、前記のど厚ｄ及び脚長ｋの長さ相当分の範囲ｆが切り欠かれて山形に形成されて成るものである。当該ゲージ体Ｂでは、のど厚ｄ＝１１ｍｍ、脚長ｋ＝１５ｍｍの空所（範囲ｆ）を確保した山形の頂部１が形成されている。当該頂部１の形成要領は、く字状のゲージ体Ａについても同様である。
【００３２】
そして、上述した各ゲージ体Ａ、Ｂの表面１１と裏面１２の両面の一端部２と他端部３に、前記の開先角度θを測定する際に基準となる所定の角度θを表す、数字５と記号６及び矢印７が表示されている。
【００３３】
また、前記したのど厚ｄを表す数字５と記号６並びに同のど厚ｄを示す矢印８が、各ゲージ体Ａ、Ｂの頂部１の表面１１に表示されている。と同時に、当該頂部１の裏面１２における頂部１には、前記脚長ｋを表す数字５と記号６並びに同脚長ｋの範囲を示す矢印９と引出し線１０が表示されているものである。
【００３４】
かくして本実施形態の場合、ゲージ体Ａの角度限界ゲージ（図１）は、表面１１の左側に位置する一端部２が、開先角度θ＝２７．５°の使用態様として、同「２７．５」という数字５と「°」の記号６と、角度範囲を示す矢印７が表示されている（図１Ａ）。と共に、当該裏面１２における当該一端部２に、同じ「２７．５」という数字５と「°」の記号６と、角度範囲を示す矢印７が表示されている（図１Ｂ）。
【００３５】
同じ要領で、このゲージ体Ａの表面１１の右側に位置する他端部３が、開先角度θ＝２５°の使用態様として、同「２５」という数字５と「°」の記号６と、角度範囲を示す矢印７が表示されている（図１Ａ）。と共に、当該裏面１２における当該他端部３に、同じ「２５」という数字５と「°」の記号６と、角度範囲を示す矢印７が表示されている（図１Ｂ）。
【００３６】
さらに、このゲージ体Ａの頂部１の表面１１には、のど厚ｄ＝４ｍｍの使用態様として、同「４」という数字５と「ｍｍ」の記号６と、矢印８が表示されている（図１Ａ）。と共に、当該裏面１２に、脚長ｋ＝５ｍｍの使用態様として、同「５」という数字５と「ｍｍ」の記号６と、矢印９並びに引出し線１０が、左右の斜辺に沿って表示されている（図１Ｂ）。
【００３７】
同様に、ゲージ体Ｂの角度限界ゲージ（図２）の実施形態の場合、その表面１１の左側及び裏面１２の右側に位置する一端部２が、開先角度θ＝６２．５°の使用態様として、同「６２．５」という数字５と「°」の記号６と、角度範囲を示す矢印７がそれぞれ表示されている（図２Ａ、Ｂ）。
【００３８】
同じ要領で、このゲージ体Ｂの表面１１の右側及び裏面１２の左側に位置する他端部３が、開先角度θ＝６０°の使用態様として、同「６０」という数字５と「°」の記号６と、角度範囲を示す矢印７がそれぞれ表示されている（図２Ａ、Ｂ）。
【００３９】
さらに、このゲージ体Ｂの頂部１の表面１１には、のど厚ｄ＝１１ｍｍの使用態様として、同「１１」という数字５と「ｍｍ」の記号６と、矢印８が表示されている（図２Ａ）。一方、当該裏面１２には、脚長ｋ＝１５ｍｍの使用態様として、同「１５」という数字５と「ｍｍ」の記号６と、矢印９並びに引出し線１０が、左右の斜辺に沿って表示されている（図２Ｂ）。
【００４０】
上述した本実施形態の角度限界ゲージは、ゲージ体Ａとゲージ体Ｂの各一態様を説明したが、本発明には更なる実施形態がある。
【００４１】
すなわち、本考案の角度限界ゲージは、種々のＴ継手・突合せ継手の開先角度の合否判定や、種々のすみ肉ののど厚及び脚長の合否判定の測定に迅速かつ正確に対応可能なように、限界寸法値の異なる角度θ、のど厚ｄ及び脚長ｋに形成され且つ表示された数種類のゲージ体Ａとゲージ体Ｂが１セットとして好適に使用される。
【００４２】
つまり、複数枚の前記ゲージ体Ａ・・・、Ｂ・・・が備えられ、各ゲージ体Ａ・・・、Ｂ・・・の上記左右の両端部２、３は、開先溶接の開先角度θの限界寸法値として各々異なる角度θ・・・に形成されていると共に、各ゲージ体Ａ・・・、Ｂ・・・の頂部１は、すみ肉溶接ののど厚ｄ及び脚長ｋの限界寸法値として各々異なるのど厚ｄ・・・及び脚長ｋ・・・を確保して形成されている。そして、これら複数枚の前記ゲージ体Ａ・・・、Ｂ・・・で各々形成される限界寸法値の角度θ、のど厚ｄ及び脚長ｋは、使用頻度の高い寸法の組み合せで構成する実施形態が好ましい。
【００４３】
その使用頻度の高い寸法の組み合せとして、下記の通り、ゲージ体Ａにつき４パターン、ゲージ体Ｂにつき４パターンの合計８パターン（１）〜（８）が好適に実施される。
【００４４】
＜ゲージ体Ａの場合＞
（１）一端部２の角度θ＝２７．５°、他端部３の角度θ＝２５°、のど厚ｄ＝４ｍｍ、脚長ｋ＝５ｍｍ（上記ゲージ体Ａのケース）
（２）一端部２の角度θ＝３２．５°、他端部３の角度θ＝３０°、のど厚ｄ＝５ｍｍ、脚長ｋ＝７ｍｍ
（３）一端部２の角度θ＝３７．５°、他端部３の角度θ＝３５°、のど厚ｄ＝６ｍｍ、脚長ｋ＝８ｍｍ
（４）一端部２の角度θ＝４２．５°、他端部３の角度θ＝４０°、のど厚ｄ＝７ｍｍ、脚長ｋ＝１０ｍｍ
【００４５】
＜ゲージ体Ｂの場合＞
（５）一端部２の角度θ＝４７．５°、他端部３の角度θ＝４５°、のど厚ｄ＝８ｍｍ、脚長ｋ＝１１ｍｍ
（６）一端部２の角度θ＝５２．５°、他端部３の角度θ＝５０°、のど厚ｄ＝９ｍｍ、脚長ｋ＝１３ｍｍ
（７）一端部２の角度θ＝５７．５°、他端部３の角度θ＝５５°、のど厚ｄ＝１０ｍｍ、脚長ｋ＝１４ｍｍ
（８）一端部２の角度θ＝６２．５°、他端部３の角度θ＝６０°、のど厚ｄ＝１１ｍｍ、脚長ｋ＝１５ｍｍ（上記ゲージ体Ｂのケース）
【００４６】
上記のように、角度θは、２５°〜６２．５°の範囲内で２．５°毎に対応可能である。のど厚ｄは、４ｍｍ〜１１ｍｍの範囲内で１ｍｍ毎に対応でき、脚長ｋは、５ｍｍ〜１５ｍｍの範囲内で１ｍｍ又は２ｍｍ毎に対応可能である。但し、そのようにして選択された前記８種の角度、長さに限定されるものではなく、種々の角度θ、長さｄ、ｋを有する種々の組み合せによるゲージ体Ａ、Ｂも実施可能である。
【００４７】
なお、同種の合否判定測定の作業効率性を高めるべく、上記した４種のゲージ体Ａ・・・の角度限界ゲージに形成された各貫通孔４・・・にチェーンで連結し、同様に上記した４種のゲージ体Ｂの角度限界ゲージに形成された各貫通孔４・・・にボールチェーンで連結して実施する形態が好適である。
【００４８】
最後に、本角度限界ゲージの使用要領を説明する。開先溶接の場合、図４と図５に示した要領で使用する。
【００４９】
図４はＴ型継手の開先角度を測定する一実施形態として、２つの直交する板材２０、２１のＴ型継手の開先角度θ（内角）が２５°の場合を示している。かかる場合に、他端部３の角度が２５°と表示されたゲージ体Ａの角度限界ゲージの当該他端部３を、直交する板材２０、２１のＴ型継手部分に挿し込む。挿し込んだ際に合致すれば、開先角度が２５°であり合格と容易に判断できる。
【００５０】
図５は突合せ継手の開先角度を測定する一実施形態として、直線上に対向する２つの板材２０、２１の開先角度θ（内角）が６２．５°の場合を示している。かかる場合に、一端部２の角度が６２．５°と表示されたゲージ体Ｂの角度限界ゲージの当該一端部２を、対向する板材２０、２１の突合せ継手部分に挿し込む。挿し込んだ際に合致すれば、開先角度が６２．５°であり合格と容易に判断できる。
【００５１】
次に、すみ肉溶接の場合、図６Ａと同図６Ｂに示した要領で使用する。
【００５２】
図６Ａはすみ肉ｓののど厚ｄを測定する一実施形態として、２つの直交する板材２０、２１のすみ肉ののど厚が１１ｍｍの場合を示している。かかる場合に、頂部１の表面１１が１１ｍｍと表示されたゲージ体Ｂの角度限界ゲージの当該頂部１を、すみ肉ｓに当接させるように配置する。その際、ゲージ体Ｂの２つの斜辺は直角に位置するので、各斜辺を直交する板材２０、２１に当接させることで、測定時の適正位置が容易に確保される。かかる状態でゲージ体Ｂの頂部１とすみ肉ｓとの間に隙間がなければ、のど厚が１１ｍｍであり合格と判断できる。
【００５３】
図６Ｂはすみ肉ｓの脚長ｋを測定する一実施形態として、２つの直交する板材２０、２１のすみ肉の脚長ｋが１５ｍｍの場合を示している。かかる場合に、前記図６Ａのゲージ体Ｂを裏返しにするだけで、頂部１の裏面１２が１５ｍｍと表示されるので、当該ゲージ体Ｂの当該頂部１（裏面１２）を、すみ肉ｓに当接させるように配置する。その際、やはりゲージ体Ｂの２つの斜辺は直角に位置するので、各斜辺を直交する板材２０、２１に当接させることで、測定時の適正位置が確保される。かかる状態でゲージ体Ｂに表示された「１５ｍｍ」の引出し線１０の範囲内にすみ肉ｓが位置していれば、合格と容易に判断できる訳である（図７参照）。
【図面の簡単な説明】
【００５４】
【図１】Ａはゲージ体を示した上面図、Ｂは同ゲージ体の裏面図である。
【００５５】
【図２】Ａは異なるゲージ体を示した上面図、Ｂは同ゲージ体の裏面図である。
【００５６】
【図３】図２のゲージ体の説明図である。
【００５７】
【図４】開先溶接におけるＴ継手の開先角度の測定要領を示した正面図である。
【００５８】
【図５】開先溶接における突合せ継手の開先角度の測定要領を示した正面図である。
【００５９】
【図６】Ａはすみ肉溶接におけるのど厚の測定要領を示した正面図、Ｂは同すみ肉溶接における脚長の測定要領を示した正面図である。
【００６０】
【図７】図６Ａ、Ｂのゲージ体の頂部近傍を示した部分拡大図である。
【符号の説明】
【００６１】
Ａ      ゲージ体
Ｂ      ゲージ体
１      頂部
２      一端部
３      他端部
４      貫通孔
５      数字
６      記号
７      矢印
８      矢印
９      矢印
１０    引出し線
１１    表面
１２    裏面
θ      角度
ｓ      すみ肉
ｄ      のど厚
ｋ      脚長
【図１】
0003147375.tif 000003
【図２】
0003147375.tif 000004
【図３】
0003147375.tif 000005
【図４】
0003147375.tif 000006
【図５】
0003147375.tif 000007
【図６】
0003147375.tif 000008
【図７】
0003147375.tif 000009